(57)【特許請求の範囲】
【請求項１】
下面に吸込口を有する吸込具本体と、前記吸込口に臨ませて吸込具本体に回転自在に支持された回転ブラシと、前記吸込具本体に内蔵され前記回転ブラシを回転駆動させる駆動源と、前記吸込具本体に内蔵され前記駆動源への通電をオン・オフする制御部と、前記制御部をオン・オフする操作部を備え、前記操作部は、前記吸込具本体に回動可能に軸支され、前記吸込具本体底面から突出して被掃除面への接地状態を検出する検出部と、前記検出部の前記吸込具本体底面からの突出量に連動して制御部を操作する操作片と、前記吸込口が略上方に向けられた時、前記制御部が阻止補助体を介してオン状態になることを阻止する阻止部材から構成され、前記阻止部材と前記検出部との間に前記操作片を配置し、前記検出部を吸込具本体内部に回動させたときに、前記検出部下面が前記吸込具本体底面部と同面もしくは前記吸込具本体側に位置するようにした電気掃除機用吸込具。
【請求項２】
下面に吸込口を有する吸込具本体と、前記吸込口に臨ませて吸込具本体に回転自在に支持された回転ブラシと、前記吸込具本体に内蔵され前記回転ブラシを回転駆動させる駆動源と、前記吸込具本体に内蔵され前記駆動源への通電をオン・オフする制御部と、前記制御部をオン・オフする操作部を備え、前記操作部は、前記吸込具本体に回動可能に軸支され、前記吸込具本体底面から突出して被掃除面への接地状態を検出する検出部と、前記検出部の前記吸込具本体底面からの突出量に連動して制御部を操作する操作片と、前記吸込口が略上方に向けられた時、前記制御部が阻止補助体を介してオン状態になることを阻止する阻止部材から構成され、前記阻止部材と前記検出部との間に前記操作片を配置し、前記操作部は軸部に阻止部材と操作片と検出部を設けて形成し、吸込具本体内に回動自在に設けられ、前記吸込具本体は阻止部材を収納する阻止部部屋と検出部を収納する検出部部屋を有し、前記阻止部部屋の受幅と前記阻止部材の幅とを比較した余裕寸法は、前記検出部部屋の受幅と前記検出部幅と比較した余裕寸法より大きくなるようにし、前記阻止部部屋と検出部部屋は吸込具本体の下部枠体にカバー体を接合することで形成され、駆動源の運転動作を制御する制御基板を水平方向から挿入して保持するレール溝体を前記カバー体に設けた電気掃除機用吸込具。
【請求項３】
下面に吸込口を有する吸込具本体と、前記吸込口に臨ませて吸込具本体に回転自在に支持された回転ブラシと、前記吸込具本体に内蔵され前記回転ブラシを回転駆動させる駆動源と、前記吸込具本体に内蔵され前記駆動源への通電をオン・オフする制御部と、前記制御部をオン・オフする操作部を備え、前記操作部は、前記吸込具本体に回動可能に軸支され、前記吸込具本体底面から突出して被掃除面への接地状態を検出する検出部と、前記検出部の前記吸込具本体底面からの突出量に連動して制御部を操作する操作片と、前記吸込口が略上方に向けられた時、前記制御部が阻止補助体を介してオン状態になることを阻止する阻止部材から構成され、前記阻止部材と前記検出部との間に前記操作片を配置し、前記阻止部部屋内に自由に動けるよう配置した阻止補助体と、前記阻止補助体を挟持する保持リブと、前記阻止補助体を阻止部材と阻止部部屋の間に介在させることで阻止部材を可動不能とし、検出部および操作片を固定させる構造を有し、前記吸込口が略上方に向けられた時、阻止補助体は吸込具本体の略水平方向に対して１０°〜３０°の角度に阻止部部屋に設けられた傾斜部に沿って移動する電気掃除機用吸込具。
【請求項４】
吸引風を発する電動送風機を備えた電気掃除機本体に、請求項１〜３のいずれか１項に記載の電気掃除機用吸込具と連通するように接続される接続口を備えた電気掃除機。
【発明の詳細な説明】
【０００１】
【発明の属する技術分野】
本発明は、電動機により回転ブラシを回転駆動させる構成を有した電気掃除機用吸込具並びにこの電気掃除機用吸込具を接続する電気掃除機に関するものである。
【０００２】
【従来の技術】
従来、この種の電気掃除機用吸込具は、特開平８−３３２１６５にあるようなものであり、図１１から図１３に示すように構成していた。以下、その構成について説明する。
【０００３】
下面に吸込口５１を有する吸込具本体５２と、吸込口５１に臨ませて吸込具本体５２に回転自在に支持された回転ブラシ５３と、吸込具本体５２に内蔵され、回転ブラシ５３を回転駆動させるモータ５４と、吸込具本体５２に設けられ、吸込具本体５２の上下反転時モータ５４を停止させる駆動停止装置５５とを備え、駆動停止装置５５を、モータ５４をオン、オフ制御するスイッチ５６と、吸込具本体５２に支持され、吸込具本体５２から突出して被掃除面への設置状態を検出する検出部５７と、検出部５７の吸込具本体５２底面からの突出量に連動してスイッチ５６を操作する操作片５８と、吸込具本体５２の反転時に検出部５７の押圧を阻止する阻止部材５９とから構成し、検出部５７と操作片５８との間に阻止部材５９を配置した。
【０００４】
【発明が解決しようとする課題】
このような従来の構造では、吸込具本体５２を被掃除面に落下させたときに、タイミングにより阻止部材５９が、カバー６１と前記阻止部材５９の間に挿入した阻止補助体６０により一定以上回動できなくなり、スイッチ５６をオン状態になることを阻止するときがある。このとき、落下による衝撃を始めに受けた検出部５７から阻止部材５９に伝達される衝撃力はほとんど減衰することなく阻止部材５９に伝達され、阻止部材５９が破壊することがあった。そのため、阻止部材５９、検出部５７、操作片５８を形成する部材の強度を向上させるために大きな構成とする必要性や、耐衝撃力を向上させた高価な材料により形成する必要性があった。
【０００５】
本発明は上記従来の問題を解決するものであり、小型で安価な吸込具本体を提供することを目的としている。
【０００６】
【課題を解決するための手段】
本発明は上記目的を達成するために、下面に吸込口を有する吸込具本体と、前記吸込口に臨ませて吸込具本体に回転自在に支持された回転ブラシと、前記吸込具本体に内蔵され前記回転ブラシを回転駆動させる駆動源と、前記吸込具本体に内蔵され前記駆動源への通電をオン・オフする制御部と、前記制御部をオン・オフする操作部を備え、前記操作部は、前記吸込具本体に回動可能に軸支され、前記吸込具本体底面から突出して被掃除面への接地状態を検出する検出部と、前記検出部の前記吸込具本体底面からの突出量に連動して制御部を操作する操作片と、前記吸込口が略上方に向けられた時、前記制御部が阻止補助体を介してオン状態になることを阻止する阻止部材から構成され、前記阻止部材と前記検出部との間に前記操作片を配置し、前記検出部を吸込具本体内部に回動させたときに、前記検出部下面が前記吸込具本体底面部と同面もしくは前記吸込具本体側に位置するようにした電気掃除機用吸込具で、吸込具本体が被掃除面落下されたとき、タイミングにより阻止部材がスイッチをオン状態にする状態になったときの検出部からの衝撃を、検出部と阻止部材の間に操作片を介在させることで、操作片部で衝撃力を減衰させることで検出部、操作片、阻止部材の構成部品の強度を向上させるために、検出部から阻止部材までの構成を小型化できるとともに、安価な材料で構成できるために吸込具本体を小型、安価に形成できるものである。
【０００７】
【発明の実施の形態】
本発明の請求項１に記載の発明は、下面に吸込口を有する吸込具本体と、前記吸込口に臨ませて吸込具本体に回転自在に支持された回転ブラシと、前記吸込具本体に内蔵され前記回転ブラシを回転駆動させる駆動源と、前記吸込具本体に内蔵され前記駆動源への通電をオン・オフする制御部と、前記制御部をオン・オフする操作部を備え、前記操作部は、前記吸込具本体に回動可能に軸支され、前記吸込具本体底面から突出して被掃除面への接地状態を検出する検出部と、前記検出部の前記吸込具本体底面からの突出量に連動して制御部を操作する操作片と、前記吸込口が略上方に向けられた時、前記制御部が阻止補助体を介してオン状態になることを阻止する阻止部材から構成され、前記阻止部材と前記検出部との間に前記操作片を配置し、前記検出部を吸込具本体内部に回動させたときに、前記検出部下面が前記吸込具本体底面部と同面もしくは前記吸込具本体側に位置するようにした電気掃除機用吸込具で、吸込具本体が被掃除面落下されたとき、タイミングにより阻止部材がスイッチをオン状態にする状態になったときの検出部からの衝撃を、検出部と阻止部材の間に操作片を介在させることで、操作片部で衝撃力を減衰させることで検出部、操作片、阻止部材の構成部品の強度を向上させるために、検出部から阻止部材までの構成を小型化できるとともに、安価な材料で構成できるために吸込具本体を小型、安価に形成できるものである。また、じゅうたんや凹凸のある被掃除面上で、検出部が被掃除面上の凹凸に乗り上げても吸込具本体底面より突出することがなく動作するので、被掃除面と吸込具本体の底面が略並行に保つことが出来るので、吸込具本体の操作性および集塵力にバラツキが発生することなく使い勝手のよい吸込具本体を提供することが出来る。
【０００８】
請求項２に記載の発明によれば、下面に吸込口を有する吸込具本体と、前記吸込口に臨ませて吸込具本体に回転自在に支持された回転ブラシと、前記吸込具本体に内蔵され前記回転ブラシを回転駆動させる駆動源と、前記吸込具本体に内蔵され前記駆動源への通電をオン・オフする制御部と、前記制御部をオン・オフする操作部を備え、前記操作部は、前記吸込具本体に回動可能に軸支され、前記吸込具本体底面から突出して被掃除面への接地状態を検出する検出部と、前記検出部の前記吸込具本体底面からの突出量に連動して制御部を操作する操作片と、前記吸込口が略上方に向けられた時、前記制御部が阻止補助体を介してオン状態になることを阻止する阻止部材から構成され、前記阻止部材と前記検出部との間に前記操作片を配置し、前記操作部は軸部に阻止部材と操作片と検出部を設けて形成し、吸込具本体内に回動自在に設けられ、前記吸込具本体は阻止部材を収納する阻止部部屋と検出部を収納する検出部部屋を有し、前記阻止部部屋の受幅と前記阻止部材の幅とを比較した余裕寸法は、前記検出部部屋の受幅と前記検出部幅と比較した余裕寸法より大きくなるようにし、前記阻止部部屋と検出部部屋は吸込具本体の下部枠体にカバー体を接合することで形成され、駆動源の運転動作を制御する制御基板を水平方向から挿入して保持するレール溝体を前記カバー体に設けた電気掃除機用吸込具で、塵埃が多く侵入する検出部で塵埃侵入するタイトをきつめに寸法取りしても、阻止部の方でその誤差を吸収して、検出部および阻止部の動作を阻害し難い構成とできるので、塵埃侵入を防止できるタイト構成が出来やすく、塵埃による誤動作を低減できるため、信頼性の高く使い勝手の良い吸込具本体を提供することが出来る。また、吸込具本体が落下されたときに受ける衝撃により、制御基板が固定位置から外れたりして制御基板部品や制御基板そのものが破壊することを防止できるため、衝撃に強く使い勝手の良い吸込具本体を提供することができる。
【０００９】
請求項３に記載の発明によれば、下面に吸込口を有する吸込具本体と、前記吸込口に臨ませて吸込具本体に回転自在に支持された回転ブラシと、前記吸込具本体に内蔵され前記回転ブラシを回転駆動させる駆動源と、前記吸込具本体に内蔵され前記駆動源への通電をオン・オフする制御部と、前記制御部をオン・オフする操作部を備え、前記操作部は、前記吸込具本体に回動可能に軸支され、前記吸込具本体底面から突出して被掃除面への接地状態を検出する検出部と、前記検出部の前記吸込具本体底面からの突出量に連動して制御部を操作する操作片と、前記吸込口が略上方に向けられた時、前記制御部が阻止補助体を介してオン状態になることを阻止する阻止部材から構成され、前記阻止部材と前記検出部との間に前記操作片を配置し、前記阻止部部屋内に自由に動けるよう配置した阻止補助体と、前記阻止補助体を挟持する保持リブと、前記阻止補助体を阻止部材と阻止部部屋の間に介在させることで阻止部材を可動不能とし、検出部および操作片を固定させる構造を有し、前記吸込口が略上方に向けられた時、阻止補助体は吸込具本体の略水平方向に対して１０°〜３０°の角度に阻止部部屋に設けられた傾斜部に沿って移動する電気掃除機用吸込具で、自由移動できる阻止補助体を組み込む際に保持リブで狭持することにより、阻止補助体を組み立て時に誤った場所や個数、組み込み忘れなどの組み立てミスを防止し、信頼性の高い吸込具本体を供給することができる。また、被掃除面に吸込具本体を落下させた際に、阻止補助体が阻止部と阻止部部屋の間に移動して阻止部を規制する頻度を低減させ、吸込具本体が安定して稼動できるようにすることができる。
【００１０】
請求項４に記載の発明によれば、吸引風を発する電動送風機を備えた電気掃除機本体に、請求項１〜３のいずれか１項に記載の電気掃除機用吸込具と連通するように接続される接続口を備えた電気掃除機で、小型、安価で信頼性の高い吸込具本体を備えた電気掃除を提供することができる。
【００１１】
【実施例】
以下、本発明の一実施例について、図１〜図１０を参照しながら説明する。
【００１２】
１は吸込具本体で、エラストマーやＰＶＣなどの軟体で形成して吸込具本体１が壁などに当たったときに衝撃を和らげ、壁面に傷つけを防止するバンパー２を、吸込具本体１の下面部を形成する下部枠体３と上面部を形成する上部枠体４に介在させて形成されている。吸込具本体１の後方略中央部には上部枠体４と下部枠体３とで回転自在に挟持されたパイプ５がある。
【００１３】
下部枠体３には、下面開口になる吸込口６があり、被掃除面上の塵埃はこの吸込口６から集塵される。また、上部枠体４と下部枠体３の間の空間を分断し、吸込口６を入り口に持つ吸込室７を形成する中部材８が設けられている。吸込室７には回転自在に保持され、吸込口６に臨むように設けられた回転ブラシ９が設けられ、回転ブラシ９はその回転軸中心に心材となる基体１０が構成され、基体１０の表面部には基体１０長手方向に伸びる溝部１１が形成され、溝部１１にはＰＶＣやエラストマーなどで形成されるブレードや毛ブラシなどで形成される塵埃掻上げ部１２が挿入されて構成されている。
【００１４】
回転ブラシ９の一端にはギア形状（図示せず）を形成されており、このギア形状（図示せず）と回転ブラシ９を回転駆動させる駆動源であるモータ１３とをベルト１４を張架させることで回転駆動力を伝達させている。また、モータ１３にはゴムなどの防振性のある材料にて形成されたサポート１５がモータ１３の前後に挿入されており、モータ１３を下部枠体３と上部枠体４でしっかりと保持している。
【００１５】
下部枠体３のモータ１３が収められている逆側の収納部分には、モータ１３の駆動を制御する制御部がある。制御部は駆動停止装置１６であり、吸込具本体１同様の効果が得られる。また、検出部１７には、被掃除面にスムーズに接触するようにローラー体２１が回転自在に保持されている。
【００１６】
吸込具本体１が被掃除面上に接触していることを検知する検出部１７と、検出部１７の回動軸を同一にもち、モータの供給電源をオン・オフ操作する操作片１８と吸込具本体１を裏返したときに検出部１７を誤って押されないよう検出部１７を固定する阻止部材１９からなる操作部２０（もしくはレバー体、以降操作部とする）が構成されている。操作部２０は、阻止部材１９、操作片１８、検出部１７の順で構成されている。なお、この順序が逆になっても同様の効果が得られる。また、検出部１７には、被掃除面にスムーズに接触するようにローラー体２１が回転自在に保持されている。
【００１７】
また検出部１７は、吸込具本体１の略中央部より設けるようにし、阻止部材１９が吸込具本体１の外側に向くように設けられている。
【００１８】
また操作部２０は、阻止部材１９から操作片１８までの距離Ｌ１よりも操作片１８から検出部２０までの距離Ｌ２が長くなるように構成されている。
【００１９】
操作部２０は、下部枠体３の下面に開口する穴部から検出部１７を突出させ、ローラー体２１により被掃除面を検出するが、その際に操作部２０は下部枠体３に回動自在に保持されている。検出部１７およびローラー体２１が下部枠体３の内側にもっとも入り込んだときに検出部１７およびローラー体２１の下面が下部枠体３の下面より同面もしくは０．５ｍｍから１ｍｍほど中に入り込むように設定されている。
【００２０】
吸込具本体１のモータ１３に電源を供給する供給部は電源線２２で、前記電源線２２はパイプ５内部に設けられている。電源線２２およびモータ１３からのリード線２３は、駆動停止装置１６に設けられ、モータ１３のオン・オフ制御および保護を制御する制御基盤２４に接続される。また、制御基盤２４には操作片１８にてオン・オフの操作をされるスイッチ部２５が設けられた制御部２６が一体に設けられている。制御部２６は、リミットスイッチなどの小型スイッチなどで構成されている。
【００２１】
また、制御部２６は、スイッチ部２５が下部枠体３の方を向くように設置されている。
【００２２】
操作部２０は下部枠体３に回動自在に保持されているが、その際に検出部１７および阻止部材１９は各々囲まれた閉鎖空間部である検出部部屋３０と阻止部材部屋３１が存在する。検出部１７、操作片１８と阻止部材１９を接続するのは、回動するための軸部２７であり、その軸部２７を下部枠体３と検出部１７の上面を覆う検出部部屋カバー２８と阻止部材部屋カバー２９とで挟持している。このときに検出部１７が回動できるように検出部部屋３０の内側壁と検出部１７の側面に隙間Ｌ３が設定されており、同様に阻止部材１９と阻止部材部屋３１との間にも隙間Ｌ４が設定されている。このとき、隙間Ｌ３は隙間Ｌ４よりも小さくなるよう設けてある。
【００２３】
また、検出部部屋３０と阻止部材部屋３１は一体化されており、カバー体３４を形成し、さらに検出部部屋３０の上面部には制御基盤２４が設置される。検出部部屋３０の上面部にはレール状のレール溝体３２があり、レール溝体３２は吸込具本体１前方方向から後方にかけて開口し、かつ被掃除面と略水平になるように設けられている。このレール溝体３２に制御基盤２４が挟み込まれて固定されるようになっている。また、阻止部材部屋３１側面には凸リブ３３が設けられ、この凸リブ３３に差し込まれて制御部２６が固定されるようになっている。
【００２４】
阻止部材部屋３１には阻止部材１９を、吸込具本体１が裏返しになったときに規制する阻止補助体３５が存在する。阻止補助体３５は阻止部材部屋３１に自由に移動できるように鉄球などの球形状をしている。また、阻止補助体３５は吸込具本体１が表向きに有るときには、下部枠体３に形成された一対の保持リブ３６に収まるように構成されている。このとき、阻止補助体３５は、保持リブ３６、下部枠体３と阻止部材１９に挟まれて存在するために安定して保持される。
【００２５】
また、阻止部材部屋３１内部には阻止補助体３５が天面方向に向かって移動する際に斜面を登るような構成になるように斜面部３７が設けられている。斜面部３７は、被掃除面に垂直な軸に対して１０°から３０°の傾斜を設けて構成されている。
【００２６】
カバー体３４と下部枠体３が接合する面は、各々凹と凸の形状である凹凸状リブ３８が組み合わさるように設けてあり、カバー体３４と下部枠体３が接触する全周に設けてある。
【００２７】
検出部１７、操作片１８、阻止部材１９と軸受２７で構成される操作部２０は、吸込具本体１を被掃除面から離した時点で下部枠体３下面から突出するようにネ３９（もしくは附勢体、以降バネとする）にて附勢されている。バネ３９は、阻止部材１９から吸込具本体１の外側を向くように設けた軸体である附勢体受け４０に取り付けられ、軸体の最外部端面には、バネ３９の内径より０．５ｍｍから０．８ｍｍほど大きい鍔形状４２が設けられ、バネ３９の片端にはくの字形状に折り曲げた爪状の係り部４３が設けられ、一方では附勢体受け４０側には係り部４３がかかる係り受け４４が設けられている。
【００２８】
吸込具本体１は、パイプ５を介して延長管４５、ホース４６、掃除機本体４７に接続される。ホース４６は、掃除機本体４７の前面部に設けた接続口４８と連通し、集塵室４９と連通される。掃除機本体４７の後方部には電動送風機５０が設置されている。
【００２９】
上記構成において動作を説明すると、掃除機本体４７に電源が通電されて運転を行うと電動送風機５０が動作して、吸引風を発生させる。吸引風は集塵室４９を介して、接続口４８、ホース４６、延長管４５を通過して、パイプ５より吸込具本体１まで生じる。
【００３０】
吸込具本体１では、掃除機本体４７から電源が供給されるとパイプ５に内蔵された電源線２２から制御基盤２４を介してモータ１３に伝達される。電源を供給されたモータ１３は駆動を開始してベルト１４から回転ブラシ９を回転させる駆動力となる。被掃除面状の塵埃は、回転ブラシ９の周囲に設けられた塵埃掻上げ部１２により吸込具本体１に取り込まれ、掃除機本体４７で発生した吸引風により、吸込口６、吸込室７を通じて、パイプ５内部より集塵室４９に塵埃が集められる。
【００３１】
このとき吸込具本体１を空中に持ち上げたときにバネ４３で附勢された操作体２０は吸込具本体１下面より突出して、操作片１８を介してスイッチ部２５を操作して、制御部２６をオフ状態にしてモータ１３の供給電源を切り、モータ１３と回転ブラシ９の駆動を停止させる。
【００３２】
また、使用の仕方によっては吸込具本体１を被掃除面落下するときが有り、タイミングにより阻止部材１９と阻止部材部屋３１の間に阻止補助体３５が挟まり、検出部１７が吸込具本体１下面より突出したままになることがある。被掃除面からの衝撃は、検出部１７から伝達されて阻止部材１９まで伝達される。このとき、検出部１７と阻止部材１９の間に操作片１８が介在することで、操作片１８近傍で捩じれ力となって衝撃力が分散し、阻止部材１９に大きな応力を集中させなくてすむ。また、Ｌ１よりＬ２を長く取ることにより、衝撃力の分散をさらに大きくするため、操作体２０を構成する部分を小型化でき、かつ材料的にも高衝撃耐久性の材料でない一般材料にて形成することができる。また、このときに、阻止補助体３５が阻止部材１９と阻止部材部屋３１の間に移動して阻止部材１９を規制する頻度を低減させるため、阻止部材部屋３１に斜面部３７が設けられており、落下衝撃により跳ね上がってくる阻止補助体３５を斜面部３７に衝突させ、垂直の跳ね上がりから、斜め方向の上昇に変更させて、阻止部材１９と斜面部３７に挟持されるまえに落下させる運動にして、阻止部材１９を正常に動作させて、吸込具本体１が安定させて稼動できる。
【００３３】
吸込具本体１を被掃除面で使用している際に、凹凸の激しい被掃除面上であると吸込具本体１底面が被掃除面に対して平行を保つことが難しい。吸込具本体１底面部が被掃除面と接触することで検出部１７が出入りする頻度が多くなり、制御部２６がオン・オフを繰り返しやすくなるが、検出部１７を吸込具本体１の略中央近傍に設置することで、吸込具本体１を操作するための力が略中央近傍にパイプ５より伝達され、被掃除面上に吸込具本体１を押さえつける。そのため、検出部１７は被掃除面と常に接触できるために、吸込具本体１が被掃除面上にある限り誤動作を起こすことがない。
【００３４】
また、検出部１７のローラー体２１は、吸込具本体１の底面より内部に入り込むために、吸込具本体１が細かい段差を踏んだ際に、ローラー体２１が突出しているために、吸込具本体１が被掃除面に対して傾き、吸込具本体１の底面角部を被掃除面に接触させ、木床などの被掃除面に対して傷つけを行わないものである。
【００３５】
また、吸込具本体１を前後に操作しているときなどに、阻止補助体３５は阻止部材部屋３１で自由に動けるために、阻止部材部屋３１内部の壁に阻止補助体３５が当たり、カタカタと異音が発生していたのを、下部枠体３に阻止補助体３５を挟持するための保持リブ３６を設けることで防止することができる。
【００３６】
吸込具本体１はもっとも塵埃をかぶる部分であり、塵埃も内部に進入しやすい。特に操作体２０の可動部などはもっとも進入しやすい。これに対して、Ｌ３とＬ４の隙間の取り方を変えることで、検出部１７の回動軸部周辺のスラスト隙間を最小にして、外部からの塵埃進入からタイト性を向上させ、検出部１７を詰めた分の寸法ずれ（成形による収縮などによる公差分変動）を阻止部材１９での隙間Ｌ４により吸収して、操作体２０の回動性を損なわないようにできる。また、カバー体３４の底面部と下部枠体３のあわせ部に凹凸状リブ３８をほぼ全周に設けることで吸込具本体１の外部から内部に入り込む気流風を低減させ、細塵を内部に進入しがたい構成とできる。駆動停止装置１６でもっとも細塵に弱いところは制御部２６の可動接点部であるスイッチ部２５であり、これを被掃除面側に向けて設けることで細塵がスイッチ部２５に溜まらず、下を向けることで細塵を下方に落とすようになっているため、駆動停止装置１６の信頼性を高められる。
【００３７】
吸込具本体１が被掃除面に落下されたときに、制御基盤２４がレール溝体３２に挿入されているために制御基盤２４でもっとも割れやすい端面部を保持する構成が点接触から線接触に変更することで衝撃力を分散させて、制御基盤２４のパターンの剥離や割れを防ぐことができる。また、制御基盤２４、制御部２６、カバー体３４などに組み付けてあるために組み立て時に一つの部品を組み立てるだけでよく、安価で生産しやすくできる。
【００３８】
また、吸込具本体１が側方から落下されたときに附勢体３９が係り部４３に突っ張り、附勢体３９が外れることを防止できるために駆動停止装置１６が誤動作することを防ぐことができる。
【００３９】
【発明の効果】
以上のように本発明によれば、吸込具本体が被掃除面落下されたとき、タイミングにより阻止部材がスイッチをオン状態にする状態になったときの検出部からの衝撃を、検出部と阻止部材の間に操作片を介在させることで、操作片部で衝撃力を減衰させることで検出部、操作片、阻止部材の構成部品の強度を向上させるために、検出部から阻止部材までの構成を小型化できるとともに、安価な材料で構成できるために吸込具本体およびそれを用いた電気掃除機を提供できる。
【図面の簡単な説明】
【図１】本発明の一実施例の要部部品正面図
【図２】同電気掃除機用吸込具の要部部品側面図
【図３】同電気掃除機用吸込具の上面図
【図４】同電気掃除機用吸込具の上部枠体を外した上面図
【図５】同電気掃除機用吸込具の下面図
【図６】同電気掃除機用吸込具のＡ−Ａ断面図
【図７】同電気掃除機用吸込具のＢ−Ｂ断面図
【図８】同電気掃除機用吸込具のＣ−Ｃ断面図
【図９】同電気掃除機用吸込具のＤ−Ｄ断面図
【図１０】同電気掃除機の斜視図
【図１１】従来の電気掃除機用吸込具の要部部品上面図
【図１２】同電気掃除機用吸込具の上部枠体を外した上面図
【図１３】同電気掃除機用吸込具のＥ−Ｅ断面図
【符号の説明】
１  吸込具本体
６  吸込口
９  回転ブラシ
１３  駆動源
１６  駆動停止装置
１７  検出部
１８  操作片
１９  阻止部材
２０  操作部
２６  制御部
【図１】
0003624891.tif 000002
【図２】
0003624891.tif 000003
【図３】
0003624891.tif 000004
【図４】
0003624891.tif 000005
【図５】
0003624891.tif 000006
【図６】
0003624891.tif 000007
【図７】
0003624891.tif 000008
【図８】
0003624891.tif 000009
【図９】
0003624891.tif 000010
【図１０】
0003624891.tif 000011
【図１１】
0003624891.tif 000012
【図１２】
0003624891.tif 000013
【図１３】
0003624891.tif 000014